(57)【特許請求の範囲】
【請求項１】
弾性を有する支持基板（２）と把持部材（３）とを備え、支持基板（２）の表面（２ａ）に湿布薬（６）を着脱自在に重合固定する保持手段（７）が具備された湿布薬貼付補助具であって、
把持部材（３）は支持基板（２）の長手方向の長さよりも短い板状に形成され、支持基板（２）の長手方向の端部に把持部材（３）を長手方向に移動自在に挿通可能な長孔（９）が支持基板（２）の端縁に沿うように設けられ、把持部材（３）の長手方向の一端部に、長孔（９）の開口縁部に係合して把持部材（３）を抜け止めする係合突部（１５）が設けられ、前記長孔（９）に把持部材（３）を挿通保持することによって、把持部材（３）が支持基板（２）の長手方向の端部から外方突出する使用姿勢（Ｘ）と長手方向の全長に亘って折曲することなく支持基板（２）に重合配置される折畳姿勢（Ｙ）とに姿勢変更自在になるように支持基板（２）に連結されていることを特徴とする湿布薬貼付補助具。
【請求項２】
支持基板（２）の裏面（２ｂ）の中央部に押圧部（１２）が段差を形成するように厚み方向に突設され、前記折畳姿勢（Ｙ）のときに把持部材（３）が押圧部（１２）に対して重合する把持部材（３）の重合部分と押圧部（１２）との間に、把持部材（３）を前記折畳姿勢（Ｙ）に保持すべく係脱自在に係合する係合手段（２４）が設けられていることを特徴とする請求項１に記載の湿布薬貼付補助具。
【発明の詳細な説明】
【技術分野】
【０００１】
本発明は、肩や腰痛などに湿布薬を一人で貼付できるようにした湿布薬貼付補助具に関するものである。
【背景技術】
【０００２】
高齢化が進む中で、一人暮らしの人が多くなり、年を重ねるごとに肩こりや腰痛で苦しむ人が多い。従って、肩や腰等に湿布薬を一人で良好に貼付できるようにすることが望まれている。
このため、湿布薬貼付補助具には、弾性を有する支持基板と把持部材とを備え、支持基板の表面に湿布薬を着脱自在に重合固定する保持手段が具備されたものがあり、支持基板の表面に湿布薬を重合固定し、把持部材を把持して支持基板と共に湿布薬を肩や腰等の身体の所望部位に配置し、湿布薬を一人で貼付するようにしたものがある。
この種の従来の湿布薬貼付補助具には、支持基板に把持部材を外方突出するように突設（連結固定）したものがある（例えば特許文献１，２）
他の従来の湿布薬貼付補助具には、支持基板の中央部の裏面に把持部材を後方突設したものがある（例えば特許文献３）。
【先行技術文献】
【特許文献】
【０００３】
【特許文献１】特開２００７−１３５８５０号公報
【特許文献２】実用新案登録第３１５２８７２号公報
【特許文献３】特開２００１−６１８９４号公報
【発明の概要】
【発明が解決しようとする課題】
【０００４】
しかし、前者の従来の場合、支持基板に把持部材が外方突設されているので、支持基板を湿布薬に対応する大きさに形成しても、支持基板から把持部材が大きく外方突出されているため、湿布薬貼付補助具全体が大きくなり、携帯や保管等に不便であった。
また、後者の従来の場合、支持基板の中央部の裏面に把持部材を後方突設しており、把持部材は支持基板の端部から外方突出していないため、湿布薬を背中等の手の届かない部位に貼り付ける場合、把持部材を持って背中に手を廻しても、支持基板乃至湿布薬が背中の所望部位にうまく届かず、一人で湿布薬を簡単かつ良好に貼付することは困難であった。
本発明は、上記問題点に鑑み、コンパクトに収納できて携帯や保管に便利になると共に、湿布薬を背中等の手の届かない部位にも簡単かつ良好に貼り付けることができる湿布薬貼付補助具を提供することを目的としている。
【課題を解決するための手段】
【０００５】
本発明における課題解決のための具体的手段は、次の通りである。
この技術的課題を解決する本発明の技術的手段は、弾性を有する支持基板２と把持部材３とを備え、支持基板２の表面２ａに湿布薬６を着脱自在に重合固定する保持手段７が具備された湿布薬貼付補助具であって、
把持部材３は支持基板２の長手方向の長さよりも短い板状に形成され、支持基板２の長手方向の端部に把持部材３を長手方向に移動自在に挿通可能な長孔９が支持基板２の端縁に沿うように設けられ、把持部材３の長手方向の一端部に、長孔９の開口縁部に係合して把持部材３を抜け止めする係合突部１５が設けられ、前記長孔９に把持部材３を挿通保持することによって、把持部材３が支持基板２の長手方向の端部から外方突出する使用姿勢Ｘと長手方向の全長に亘って折曲することなく支持基板２に重合配置される折畳姿勢Ｙとに姿勢変更自在になるように支持基板２に連結されている点にある。
また、本発明の他の技術的手段は、支持基板２の裏面２ｂの中央部に押圧部１２が段差を形成するように厚み方向に突設され、前記折畳姿勢Ｙのときに把持部材３が押圧部１２に対して重合する把持部材３の重合部分と押圧部１２との間に、把持部材３を前記折畳姿勢Ｙに保持すべく係脱自在に係合する係合手段２４が設けられている点にある。
【発明の効果】
【０００６】
本発明によれば、湿布薬を背中等の手の届かない所望部位に貼り付ける場合、把持部材を使用姿勢に姿勢変更すれば、把持部材が支持基板の端部から外方突出するので、把持部材を持って背中に手を廻すことによって、支持基板乃至湿布薬を背中の所望部位に簡単に配置することができ、一人で湿布薬を容易かつ良好に貼付することが可能になる。また、把持部材を折畳姿勢に姿勢変更することにより、板状の把持部材を支持基板に対して重合配置することができ、把持部材を支持基板内に納めることができるし、支持基板と把持部材とが板面同士で重なるため、湿布薬貼付補助具全体の厚みを薄くすることができ、全体を薄くコンパクトになし得て携帯や保管に便利になる。
また、把持部材は、支持基板の長手方向の長さよりも短くて、折畳姿勢に姿勢変更したときに、把持部材が長手方向の全長に亘って折曲することなく支持基板に重合配置されるので、把持部材自身を折曲して折り畳むような面倒なことをしなくても、把持部材の全体を支持基板内に納めることができる。しかも、把持部材自身を折曲させる必要がないから、把持部材を比較的硬い材料で形成することができることもあって、把持部材を使用姿勢に姿勢変更しても、把持部材が途中で大きく折曲したり撓んだりするようなことがなくなり、手で把持部材を把持することにより、支持基板乃至湿布薬を安定に支持することができて、支持基板乃至湿布薬を手の届かない所望部位に簡単かつ正確に配置することができ、例えば１本の把持部材を把持することによっても、支持基板乃至湿布薬を所望部位に正確に配置することが可能になり、一人で湿布薬を良好に貼り付けることができる。
しかも、把持部材は、上記の如く把持部材を比較的硬い材料で形成することができることもあって、使用姿勢と折畳姿勢とに姿勢変更する場合には、把持部材を支持基板に対して揺動することによって簡単に姿勢変更することができる。また、折畳姿勢に姿勢変更したときに、把持部材が長手方向の全長に亘って折曲することなく支持基板に重合配置されるので、把持部材を折畳姿勢に姿勢変更しても湿布薬貼付補助具全体の厚みがあまり大きくならずに済む。
【図面の簡単な説明】
【０００７】
【図１】本発明の第１実施形態を示す湿布薬貼付補助具の分解平面図である。
【図２】同把持部材を使用姿勢にした湿布薬貼付補助具の平面図である。
【図３】同把持部材を折畳姿勢にした湿布薬貼付補助具の平面図である。
【図４】同湿布薬貼付補助具の正面断面図である。
【図５】同身体に湿布薬を貼付する様子を示す背面図である。
【図６】第２実施形態を示す湿布薬貼付補助具の分解平面図である。
【図７】同把持部材を使用姿勢にした湿布薬貼付補助具の平面図である。
【図８】同把持部材を折畳姿勢にした湿布薬貼付補助具の平面図である。
【図９】同挿通孔で把持部材を連結した状態の湿布薬貼付補助具の平面図である。
【図１０】第３実施形態を示す把持部材を使用姿勢にした湿布薬貼付補助具の底面図    である。
【図１１】同把持部材を折畳姿勢にした湿布薬貼付補助具の底面図である。
【図１２】第４実施形態を示す湿布薬貼付補助具の分解平面図である。
【図１３】同把持部材を使用姿勢にした湿布薬貼付補助具の平面図である。
【図１４】第５実施形態を示す湿布薬貼付補助具の分解平面図である。
【図１５】第６実施形態を示す湿布薬貼付補助具の分解底面図である。
【図１６】同湿布薬貼付補助具の底面図である。
【発明を実施するための形態】
【０００８】
以下、本発明の実施の形態を図面に基づいて説明する。
図１〜図５は本発明の第１実施形態を示している。図１〜図４において、湿布薬貼付補助具１は、弾性を有する支持基板２と一対の把持部材３とを備え、支持基板２の表面２ａに湿布薬６を着脱自在に重合固定する保持手段７が具備されている。
支持基板２は塩化ビニール、ＰＥＴ樹脂等の合成樹脂により構成され、湿布薬６に対応する大きさの長方形状であって弾性及び柔軟性を有しかつ透過性を有する（透明又は半透明或いは着色透明の）板状に形成されている。より具体的には、支持基板２は、湿布薬６の大きさよりもやや大きく、支持基板２上に湿布薬６を重合配置したときに支持基板２の外周が湿布薬６よりも全周に亘って３ｍｍ〜１５ｍｍ程度突出するような大きさに形成され、その厚さが０．３ｍｍ〜１ｍｍの薄板状に形成されている。
【０００９】
支持基板２の長手方向（左右方向）の両端部に把持部材３を長手方向に移動自在に挿通可能な長孔９が設けられている。この長孔９は支持基板２の切り抜きや切り取りによって支持基板２の長手方向両側の端縁に沿うように直線状に形成されている。長孔９の長さは把持部材３の幅よりもやや長く設定されている。
なお、長孔９は、切り抜きや切り取りに代えて支持基板２の長手方向両側に切り込みを入れることにより形成するようにしてもよい。
支持基板２の表面２ａに湿布薬６を着脱自在に重合固定するための保持手段７は、支持基板２の表面２ａに面ファスナー又は粘着テープ、粘着ジェル等を取り付けてなる接着部１１を、１箇所又は複数箇所に設けてなる。図例では、接着部１１を支持基板２の表面２ａに長手方向両側の端縁及び幅方向両側の端縁に沿うように４箇所に設けており、この４つの接着部１１で保持手段７が構成されている。
【００１０】
支持基板２の裏面２ｂの中央部に押圧部１２が段差を形成するように厚み方向に突設され、押圧部１２の厚さは０．３ｍｍ〜１ｍｍ程度に設定されている。この押圧部１２は、支持基板２の中央部を示すと共に、表面２ａに湿布薬６を重合固定したときに湿布薬６の中心をも示すもので、湿布薬貼付補助具１を使用して湿布薬６を身体の背中、腰等へ貼付する際の位置決めするための重要な標であり、指の感触で分かり易いような素材で構成されるのが好ましい。
一対の把持部材３は支持基板２と同様に塩化ビニール、ＰＥＴ樹脂等の合成樹脂により構成され、弾性及び柔軟性を有しかつ透過性を有する（透明又は半透明或いは着色透明の）細長い長方形の板状に形成されている。より具体的には支持基板２はその厚さが０．３ｍｍ〜１ｍｍの帯状の薄板状に形成されている。
【００１１】
各把持部材３の一端部に、長孔９の開口縁部に係合して把持部材３を抜け止めする係合突部１５が設けられている。この係合突部１５は、把持部材３の幅方向に一対あって、把持部材３の一端部に、長孔９両端の開口縁部に係合するように幅方向外方に向けてそれぞれ突設されている。
そして、支持基板２の長孔９に把持部材３を係合突部１５とは反対側の端部から挿通保持する（差し込む）ことによって、把持部材３が支持基板２の端部に、支持基板２の端部からその板面方向に外方突出する使用姿勢Ｘと支持基板２にその板面同士で重なるように重合配置される折畳姿勢Ｙとに姿勢変更自在に連結されている。
従って、一対の把持部材３が支持基板２の長手方向の両端部に互いに対応してそれぞれ連結されており、一対の把持部材３が使用姿勢Ｘに姿勢変更されたときに支持基板２の両端部から互いに離間する方向に大きく広がり、一対の把持部材３が折畳姿勢Ｙに姿勢変更されたときに支持基板２の両端部から互いに近接して支持基板２の板面内に納まるように構成されている。
【００１２】
また、支持基板２は湿布薬６に対応する大きさの長方形の板状に形成されており、図３に示すように、一対の把持部材３を折畳姿勢Ｙに姿勢変更したときに一対の把持部材３が支持基板２の板面内に収まり、湿布薬貼付補助具１全体を湿布薬６の収納パッケージ１７に収納できるようになっている。
前記第１実施形態によれば、支持基板２に一対の把持部材３を組み付ける場合、支持基板２の両端部の長孔９に一対の把持部材３をそれぞれ係合突部１５とは反対側の端部から挿入すれ（差し込め）ばよい。これによって、一対の把持部材３が支持基板２の両端部に長手方向に移動自在でかつ揺動自在に簡単に連結され、一対の把持部材３が支持基板２の端部廻りの揺動（図４に示す矢印ａ方向及びｂ方向への揺動）によって、図２に示すように支持基板２の端部からその板面方向に外方突出する使用姿勢Ｘと、図３に示すように支持基板２にその板面同士で重なるように重合配置される折畳姿勢Ｙとに姿勢変更自在となる。
【００１３】
そして、湿布薬貼付補助具１を使用して湿布薬６を身体の患部に貼付する場合、まず、図２に示すように、一対の把持部材３を支持基板２に対して矢印ａ方向に揺動して、一対の把持部材３を使用姿勢Ｘに姿勢変更し、支持基板２の端部からその板面方向に外方突出させる。
次に、支持基板２の表面２ａの接着部１１上に湿布薬６をその剥離フィルム６ａを上にして載せ、支持基板２から脱落しないように押さえ付けて、湿布薬６を保持手段７を介して支持基板２の表面２ａに重合固定する。この際に、支持基板２の表面２ａから裏面２ｂの押圧部１２が透視できるため、押圧部１２によって支持基板２の中央部を認識することができるから、支持基板２の中央部に湿布薬６の中心をより正確に合わせて支持基板２の表面２ａに湿布薬６を重合固定することができる。
その後、保持手段７によって湿布薬６が支持基板２の表面２ａに良好に保持されていることを確認して剥離フィルム６ａを剥す。
なお、剥離フィルム６ａを剥がすとき、湿布薬６が手指に引っ付いて困るので、金属ヘラで湿布薬６を押さえて剥がすとよい。
【００１４】
その後、図５に示すように、手で一対の把持部材３を把持して湿布薬貼付補助具１を身体の後に廻し、支持基板２の表面２ａを背中、腰等の所望部位に対向させて、身体から少し離しておき、裏面２ｂの押圧部１２を手で確かめながら支持基板２乃至湿布薬６が所望部位にあることを確認する。
このようにして支持基板２乃至湿布薬６の位置が定まれば、湿布薬６の中心である押圧部１２とその周辺を身体に押圧して湿布薬６を身体の所望部位に貼付し、その後支持基板２を身体から離して湿布薬６全体を身体に貼り付けばよい。
従って、支持基板２の裏面２ｂの中央部に押圧部１２が段差を形成するように設けられているので、湿布薬６を貼付する身体の所望部位が見えない位置にあっても、押圧部１２に触れることによって湿布薬６の中央部を容易に認識することができ、押圧部１２やその周辺を押すことにより、湿布薬６をその中央部から確実に身体に貼り付けることができ、一人でも湿布薬６を良好に貼り付けることができる。
また、支持基板２は弾性及び柔軟性を有しているので、湿布薬６を肩の頂部や腰の凹みに貼付する場合でも、湿布薬６を保持した支持基板２を肩の頂部や腰の凹みにあてがって、裏面２ｂ側から支持基板２を押圧することにより、支持基板２を肩の頂部や腰の凹みにもなじんで容易に沿わせることができ、湿布薬６を肩の頂部や腰の凹みに楽に貼付することができる。
【００１５】
また、湿布薬６を背中等の手の届かない部位に貼り付ける場合には、図２に示すように一対の把持部材３を使用姿勢Ｘに姿勢変更しておけば、これら把持部材３を両手で持って背中に廻すことによって、支持基板２乃至湿布薬６を背中の所望部位に簡単に配置することができ、支持基板２の表面２ａを身体の患部に対向させた後に、例えば、両手で一対の把持部材３を把持して、支持基板２乃至湿布薬６を身体の所望部位にやや強く押し付ければよく、背中等の手の届かない部位にも一人で湿布薬６を容易かつ良好に貼付することが可能になる。
また、一対の把持部材３が使用姿勢Ｘに姿勢変更されたときに、支持基板２の両端部から互いに離間する方向に大きく広がるので、両手で一対の把持部材３を把持することによって支持基板２を安定に保持できるようになり、この点からも支持基板２乃至湿布薬６を手の届かない背中等の所望部位に簡単かつ良好に配置することができ、一人で湿布薬６をより一層容易かつ良好に貼付することが可能になる。
【００１６】
また、湿布薬貼付補助具１の主要な構成部材である支持基板２及び把持部材３は薄板状に形成され、支持基板２は湿布薬６に対応する大きさの長方形であるから、湿布薬貼付補助具１全体は構造が簡単であって小型かつ軽量であり、手軽に使用できるし、製造容易でかつ安価に製造することができる。
従って、湿布薬貼付補助具１は小型かつ軽量で高齢者にも扱いやすく、この湿布薬貼付補助具１を使用すれば手が届き難いところにも湿布薬６を楽に貼付することができる。
また、図３に示すように、一対の把持部材３を折畳姿勢Ｙに姿勢変更することによって、一対の把持部材３を共に支持基板２の板面内に納めてコンパクトに折り畳むことができ、しかも、支持基板２が湿布薬６に対応する大きさの長方形の薄板状に形成されているので、一対の把持部材３を折畳姿勢Ｙに姿勢変更することによって、湿布薬貼付補助具１全体を湿布薬６の収納パッケージ１７に収納できる大きさになし得るし、このときに湿布薬貼付補助具１全体の厚みを薄いものになすことができる。従って、図３に２点鎖線で示すように湿布薬貼付補助具１全体を湿布薬６と共に湿布薬６の収納パッケージ１７に収納することが可能になり、軽くて紛失するおそれもなくなり、携帯や保管に非常に便利である。
また、本実施形態では、支持基板２の両端部に長孔９を設けると共に一対の把持部材３に係合突部１５を設けるだけで、一対の把持部材３を使用姿勢Ｘと折畳姿勢Ｙとに姿勢変更自在になるように支持基板２に連結できるので、非常に簡単な構成で把持部材３を支持基板２に姿勢変更自在に連結することが可能になり、この点からも湿布薬貼付補助具１をその構成部材を少なくして製造容易でかつ安価に製造することができるようになる。
【００１７】
図６〜図９は第２実施形態を示し、支持基板２の長手方向の両端部に、係合突部１５を挿通可能な一対の挿通孔１９が長孔９に対してＴ字形に交差するように長孔９の両端に対応して設けられている。これら長孔９及び挿通孔１９は、支持基板２に切り込みを入れことにより形成され、挿通孔１９の長さは係合突部１５の幅よりもやや長く設定されている。その他の点は前記第１実施形態の場合と同様の構成である。なお、長孔９及び挿通孔１９は、前記第１実施形態の場合と同様に支持基板２の切り抜きや切り取りによって形成するようにしてもよい。
この第２実施形態の場合、第１実施形態の場合と同様に、支持基板２の長孔９に把持部材３を係合突部１５とは反対側の端部から挿通保持することにより、長孔９を利用して一対の把持部材３が支持基板２の両端部にそれぞれ揺動自在でかつ長手方向に移動自在に連結され、各把持部材３が、図７に示すように支持基板２の端部からその板面方向に外方突出する使用姿勢Ｘと図８に示すように支持基板２に板面同士が重なるように重合配置される折畳姿勢Ｙとに姿勢変更自在となる。
【００１８】
また、図９に実線で示すように、一対の係合突部１５を一対の挿通孔１９にそれぞれ差し込んで係合することにより、把持部材３を支持基板２の端部からその板面方向に外方突出する使用姿勢Ｘにしっかりと連結固定できると共に、図９に２点鎖線で示すように、一対の係合突部１５を一対の挿通孔１９にそれぞれ差し替えて係合することにより、把持部材３を支持基板２に重合配置される折畳姿勢Ｙにしっかりと連結固定できる。
従って、長孔９を利用することにより、一対の把持部材３を支持基板２に対して揺動により使用姿勢Ｘと折畳姿勢Ｙとに姿勢変更自在となるように連結でき、しかも、挿通孔１９を利用することにより、一対の把持部材３が支持基板２に対して差し替えにより使用姿勢Ｘと折畳姿勢Ｙとに姿勢変更自在になると共に、各把持部材３を支持基板２に対して使用姿勢Ｘ乃至折畳姿勢Ｙにしっかりと保持固定しておくことができるようになり、湿布薬貼付補助具１は使用及び携帯乃至保管にさらに便利になる。
【００１９】
図１０及び図１１は第３実施形態を示し、支持基板２の裏面２ｂの中央部に設けた押圧部１２を円形の第１ホック（例えば雄ホック）で構成し、一対の把持部材３の係合突部１５とは反対側の端部に、押圧部１２に係脱自在に係合する半円形の第２ホック（例えば雌ホック）２２を取り付けており、第１ホックと第２ホック２２とにより、一対の把持部材３と押圧部１２との間に一対の把持部材３を折畳姿勢Ｙに保持すべく係脱自在に係合する係合手段２４が構成されている。その他の点は前記第１実施形態の場合と同様の構成である。
この第３実施形態の場合、第１実施形態の場合と同様の作用効果を有すると同時に、一対の把持部材３を折畳姿勢Ｙに姿勢変更した際に、係合手段２４によって折畳姿勢Ｙに保持しておくことができ、携帯や保管等の際に把持部材３がガタ付いたり、把持部材３が支持基板２から不測に外れて把持部材３を紛失したりすることもなくなり、携帯や保管により一層便利になる。
【００２０】
図１２及び図１３は第４実施形態を示し、把持部材３の係合突部１５側の両面又は一面に湿布薬６の粘着面に粘着しない薄い金属板又は粘着しないシール（非粘着シール等）が貼り付けられ、若しくは把持部材３の係合突部１５側が湿布薬６の粘着面に粘着しない素材例えば外面に多数の凹凸を有する素材で形成され、これにより、一対の把持部材３の係合突部１５側に湿布薬６の粘着面に対して接着しない押さえ付け部２６が形成され、この押さえ付け部２６（把持部材３の係合突部１５側）で、支持基板２の表面２ａに湿布薬６を着脱自在に重合固定する保持手段７が構成されている。従って、前記第１実施形態等における支持基板２の表面２ａの接着部１１が省略されている。
この第４実施形態の場合、湿布薬６を身体の患部に貼付するために、湿布薬６を支持基板２の表面２ａに重合固定するには、まず、一対の把持部材３を支持基板２に対して使用姿勢Ｘに姿勢変更し、把持部材３を支持基板２の端部からその板面方向に外方突出させる。このとき、一対の把持部材３を支持基板２に対して最大限に長手方向の外方に移動させて、支持基板２の表面２ａを大きく広げておき、次に、支持基板２の表面２ａ上に湿布薬６をその剥離フィルム６ａを上にして載せる。
【００２１】
その後、湿布薬６から剥離フィルム６ａの両端部を少し剥がしてから、一対の把持部材３を支持基板２に対して長手方向の内方に移動して、一対の把持部材３の押さえ付け部２６で湿布薬６の両端部を支持基板２の表面２ａから脱落しないように押さえ付け、湿布薬６を保持手段７（押さえ付け部２６）を介して支持基板２の表面２ａに重合固定する。その後に湿布薬６から剥離フィルム６ａ全体を剥がせばよい。
次に、一方の把持部材３の押さえ付け部２６で湿布薬６を広く押さえて、片手を離しても支持基板２の表面２ａにしっかり保持できるようにする。
その後の湿布薬６の身体への貼り付けは、第１実施形態の場合と同様に、まず、両手で一対の把持部材３を把持して身体の後に廻し、背中、腰等の所望部位に支持基板２の表面２ａを身体の患部に対向させて、少し離して持ち、裏面２ｂの押圧部１２を手で触って支持基板２乃至湿布薬６が所望部位にあることを確認する。
このようにして支持基板２乃至湿布薬６の位置が定まれば、湿布薬６の中心である押圧部１２とその周辺を身体に押圧して湿布薬６を身体の所望部位に貼付する。
その後、把持部材３を支持基板２に対して長手方向外方にスライドさせ、支持基板２を身体から離せばよい。
【００２２】
この第４実施形態の場合、一対の把持部材３で湿布薬６の粘着面を押さえて保持し、裏面２ｂの押圧部１２で位置を定めて身体に押圧し貼付する構成としたので、湿布薬６の裏面の材質や大きさに関係なく、保持手段７で湿布薬６を支持基板２の表面２ａに着脱自在に重合固定することができるため、湿布薬貼付補助具１を使用して貼付する湿布薬６の対応範囲が広くなり、大きさや形状が異なる種々の湿布薬６を貼付できるようになる。
なお、前記第４実施形態では、把持部材３の一部である係合突部１５側のみに非粘着シール又は非粘着金属を貼り付けているが、把持部材３の全体に非粘着シール又は非粘着金属を貼り付けて、一対の把持部材３の全体を押さえ付け部２６としてもよい。
【００２３】
図１４は第５実施形態を示し、支持基板２の長手方向の両端部に、長孔９を互いに平行に一対ずつ形成するようにしたものである。その他の点は前記第４実施形態の場合と同様の構成である。
この第５実施形態の場合、支持基板２の端部に対して把持部材３を挿通保持する一対の長孔９のいずれかを選択することにより、把持部材３を使用姿勢Ｘにしたときに把持部材３の支持基板２の端部からの外方突出長さを２段階に調整することが可能になるし、また、把持部材３を折畳姿勢Ｙにしたときの把持部材３の押さえ付け部２６で湿布薬６を支持基板２に押さえ付ける範囲を２段階に調整できるようになり、大きさや形状が異なるより多くの湿布薬６を貼付することが可能となり、汎用性が大になる。
【００２４】
図１５及び図１６は第６実施形態を示し、把持部材３を１つのみ備え、この把持部材３は支持基板２と略同一の長さに設定され、支持基板２の長手方向の一端部に、把持部材３を長手方向に移動自在に挿通可能な長孔９が設けられると共に、支持基板２の長手方向の一端部に、係合突部１５を挿通可能な一対の挿通孔１９が長孔９に対してＴ字形に交差するように長孔９の両端に対応して設けられている。これら長孔９及び一対の挿通孔１９は、支持基板２に切り込みを入れことにより形成されている。
また、支持基板２の押圧部１２は円形の第１面ファスナーにより構成されて、支持基板２の裏面２ｂの中央部に接着され、把持部材３の長手方向の中途部に前記第１面ファスナーに着脱自在に接着される円形の第２面ファスナー３０が接着されており、第１面ファスナー（押圧部１２）と第２面ファスナー３０とにより、把持部材３と押圧部１２（支持基板２）との間に支持基板２を折畳姿勢Ｙに保持すべく係脱自在に係合する係合手段２４が構成され、把持部材３を折畳姿勢Ｙに姿勢変更したときに、第２面ファスナー３０が押圧部１２に着脱自在に接着して、把持部材３を折畳姿勢Ｙに保持できるように構成されている。
【００２５】
この第６実施形態の場合、第２実施形態の場合と同様に、長孔９を利用することにより、把持部材３を支持基板２に対して揺動により使用姿勢Ｘと折畳姿勢Ｙとに姿勢変更自在となるように連結でき、しかも、一対の挿通孔１９を利用することにより、把持部材３が支持基板２に対して差し替えにより使用姿勢Ｘと折畳姿勢Ｙとに姿勢変更自在になると共に、把持部材３を支持基板２に対して使用姿勢Ｘ乃至折畳姿勢Ｙにしっかりと保持固定しておくことができるようになる。
また、この第６実施形態の場合、把持部材３を折畳姿勢Ｙに姿勢変更した際に、係合手段２４によって折畳姿勢Ｙに保持しておくことができ、携帯や保管等の際に把持部材３がガタ付いたりしなくなり、把持部材３が支持基板２から不測に外れて把持部材３を紛失することもなくなる。
【００２６】
なお、前記実施形態では、支持基板２及び把持部材３はその厚さが０．３ｍｍ〜１ｍｍの薄板状に形成されているが、これに代え、支持基板２及び把持部材３をその厚さが１ｍｍよりも厚い板状に形成してもよいし、支持基板２又は把持部材３の厚みを０．３ｍｍよりも薄く形成してもよい。
また、前記実施形態では、支持基板２と把持部材３とを合成樹脂により弾性を有しかつ透過性を有する板状に形成しているが、これに代え、支持基板２及び把持部材３をそれぞれ合成樹脂により不透明な板状に形成するようにしてもよいし、また、支持基板２及び把持部材３をそれぞれ弾性を有する木板、弾性を有する鉄板等の金属板、弾性を有する厚紙その他で形成するようにしてもよい。
また、前記第１実施形態、第３実施形態〜第５実施形態では、係合突部１５は、把持部材３の一端部に、長孔９両端の開口縁部に係合するように幅方向外方に向けて突設されているが、これに代え、係合突部１５を、把持部材３の一端部に、長孔９の中途部の開口縁部に係合するように厚み方向に向けて外方突設し、係合突部１５が長孔９の中途部の開口縁部に抜け止めするべく係合するようにしてもよい。
【００２７】
また、前記第１実施形態〜第３実施形態及び第６実施形態では、保持手段７を構成する接着部１１は、支持基板２の表面２ａに常時取り付けられているが、これに代え、例えば湿布薬６の裏面が粘着し辛いものであれば、湿布薬貼付補助具１を使用する際に支持基板２の表面２ａに粘着テープやジェルを多めに使用して大きな接着部１１を形成し一時的に強く湿布薬６を粘着できるようにしたり、湿布薬貼付補助具１を使用する際にその都度支持基板２の表面２ａに粘着テープやジェルを取り付けて１又は複数の接着部１１を設けるようにしたりしてもよい。
また、前記実施形態では、押圧部１２を支持基板２の裏面２ｂに段差を形成するように突設しているが、これに代え、押圧部１２を、支持基板２の裏面２ｂ自体に点字のような凹凸をつけて構成するようにしてもよい。また、押圧部１２の厚さは１ｍｍよりも大であってもよいし、０．３ｍｍより小であってもよい。また、押圧部１２を省略するようにしてもよい。
さらに、前記第１実施形態〜第３実施形態及び第６実施形態の場合、支持基板２の表面２ａの保持手段７の各接着部１１に対応して支持基板２の裏面２ｂに接着部１１の標となるものを設けてもよく、このようにすれば、湿布薬６を貼付する際に湿布薬６の長さや幅も認識できるようになり、湿布薬６を身体の所望部位に一層正確に貼付することができるようになる。
【符号の説明】
【００２８】
１      湿布薬貼付補助具
２      支持基板
２ａ    表面
２ｂ    裏面
３      把持部材
６      湿布薬
７      保持手段
９      長孔
１５    係合突部
１７    収納パッケージ
Ｘ      使用姿勢
Ｙ      折畳姿勢
【要約】
【課題】  コンパクトに収納できて携帯や保管に便利になると共に、湿布薬を背中等の手の届かない部位にも簡単かつ良好に貼り付けることができる湿布薬貼付補助具を提供する。
【解決手段】  把持部材３は支持基板２の長手方向の長さよりも短い板状に形成され、支持基板２の長手方向の端部に把持部材３を長手方向に移動自在に挿通可能な長孔９が設けられ、把持部材３の長手方向の一端部に、把持部材３を抜け止めする係合突部１５が設けられ、前記長孔９に把持部材３を挿通保持することによって、把持部材３が支持基板２の長手方向の端部から外方突出する使用姿勢Ｘと長手方向の全長に亘って折曲することなく支持基板２に重合配置される折畳姿勢Ｙとに姿勢変更自在になるように支持基板２に連結されている。
【選択図】図１【図１】
0005605887.tif 000002
【図２】
0005605887.tif 000003
【図３】
0005605887.tif 000004
【図４】
0005605887.tif 000005
【図５】
0005605887.tif 000006
【図６】
0005605887.tif 000007
【図７】
0005605887.tif 000008
【図８】
0005605887.tif 000009
【図９】
0005605887.tif 000010
【図１０】
0005605887.tif 000011
【図１１】
0005605887.tif 000012
【図１２】
0005605887.tif 000013
【図１３】
0005605887.tif 000014
【図１４】
0005605887.tif 000015
【図１５】
0005605887.tif 000016
【図１６】
0005605887.tif 000017